(57)【要約】【課題】ノートブック型コンピュータなどのモニタを支持、回転する回転軸の雌軸筒の加工精度を向上する。【解決手段】雌軸筒２は、固定部２２から延長した板材を円筒形に成形した筒体２１０を構成する軸向軸筒２１を具え、雄軸桿１の桿体１１０を該軸向軸筒内に嵌合することによって、モニタを該軸周りに回動可能とする。  筒体２１０は、固定部から延長した板材の両縁を相対応してＶ型凸状及びＶ凹状に形成して、両縁から折り曲げてプレス成形して、円筒状に成形する。  プレス成形前の該板材の両縁は軸方向に斜めとしてもよく、或いは２つのＶ字状の切れ込みにより３分して、交互に反対方向に折り曲げて３つの連なる円筒に成形しても良い。これらの構造により回転の軸心との整合精度が向上し、円筒の軸方向の回転軸に沿った精度を向上する。【選択図】図１
0003134743.tif 000002
【実用新案登録請求の範囲】
【請求項１】
ノートブックコンピュータのモニタなどの支持回転軸において、
回転軸の雄軸桿の軸桿体を回転可能に嵌合する雌軸筒を固定部より延長した板材を円筒状に成形した軸向軸筒により構成し、
該軸向軸筒の筒体を該延長板材の軸方向に垂直な両側縁の一方を“Ｖ”型凹縁、他方を“Ｖ”型凸縁に形成し、これらを円筒状に成形して該“Ｖ”型凸縁を該“Ｖ”型凹縁内に嵌合させて成形したこと、
を特徴としたノートブックコンピュータのモニタなどの支持回転軸。
【請求項２】
該軸向軸筒の筒体を形成する該延長板材の軸方向に垂直な両側縁の一方を該軸に斜めの斜面辺縁とし、他方をこれに対応する斜面辺縁としてこれらを円筒状に成形して該斜面辺縁を該対応する斜面辺縁に接合させたこと、
を特徴とした請求項１記載のノートブックコンピュータのモニタなどの支持回転軸。
【請求項３】
該軸向軸筒の筒体を形成する該延長板材の延長方向を軸方向に平行とし、
該延長部に該軸に垂直方向に２つの“Ｖ”型切り口を設けると共に軸筒間に隙間を形成する切込みを設けることにより３つの先端が狭く、固定部側の広い台形状に形成して、
これらの台形状部の両側の２つと中間の１つとをそれぞれ板面を介して反対側に折り曲げて筒状に成形してこれら３つの直列する筒体により、
回転軸の雄軸桿の軸桿体を回転可能に嵌合する該軸向軸筒を構成したこと、
を特徴とした請求項１記載のノートブックコンピュータのモニタなどの支持回転軸。
【考案の詳細な説明】
【技術分野】
【０００１】
本考案は、ノートブックコンピューターまたはその類の物品のモニタ用の支持、回転軸の雌軸筒構造の改良に関し、特に回転軸の雄軸桿桿体と回転させて組み合わせる時、該軸桿の桿体をぴったりと覆って嵌合させることができ、両者を正常回転、逆回転に対応した回転操作をさせる時、十分に安定し、円滑で、且つ正方向回転、逆方向回転に対して同一の大きさの“一定値”のねじれモーメントを保持し、使用寿命を延長できる「回転軸の雌軸筒構造改良」に関する。
【背景技術】
【０００２】
本考案は、台湾新型第M242749号「回転軸の雌軸筒構造改良」特許案の更なる改良考案である。
【０００３】
考案者が以前考案した台湾新型第M242749号特許案（以下原案と呼ぶ）のノートブックコンピューターまたはその類の物品用回転軸の「雌軸筒構造改良」は、その雌軸筒が回転軸の雄軸桿の軸桿桿体と回転して組み合わさる時、既に現有技術に比較して容易にぴったりと安定して該桿体を覆うことができ、剪断変形の作用を低減させることができ、該桿体と対応する回転を安定させ、円滑にし、且つ摩擦損壊が起り難く、使用寿命を増長させることができるが、該原案の回転軸の改良雌軸筒は、固定部（板）または嵌合部（板）の一側が、３つ独立して直列した軸筒構成を隙間無く巻き付けて設置し、且つその両端の両軸筒を同時に右向き方向に巻きつけて、その中間の１つの軸筒を左方向に巻きつけ、交互のまきつけの状態を形成して製造される。従って、該３つの独立した軸筒の中心を同一中心線上に配置する必要があり、同時に該３つの独立した軸筒の内径の大きさを同一にして形成して始めて、雄回転軸の雄軸桿の軸桿桿体と回転軸を組み合わせる時、確実にぴったりと該桿体を覆って嵌合することができ、該軸桿桿体を剪断変形させる作用を減少させ、両者が正常回転、逆回転に対応した回転操作する時、充分に安定し、円滑且つ摩擦損壊を起こしにくく、使用寿命を延長させることができる。したがって、このような構造は、高い精度を要求され、製造に不便であり、且つ同一中心の精度は、制御が困難である。
【特許文献１】登録実用新案第３０７１６２０号公報
【特許文献２】登録実用新案第３０８２４０５号公報
【考案の開示】
【考案が解決しようとする課題】
【０００４】
本考案の目的は、構造が簡単で、製造が簡便であり、回転軸の雄軸桿の軸桿桿体と組み合わせる時、該軸桿の桿体をぴったりと包んで嵌合し、両者が正回転または逆回転しているかによらず、対応した回転動作をする時、充分に安定し、且つ円滑で正、逆方向回転に際して同一の“固定値”のねじれのモーメントを保持し、使用寿命を増長させることができる「回転軸の雌軸筒構造改良」を提供することにある。
【課題を解決するための手段】
【０００５】
前記本考案の目的を達成するため、特に、回転軸の雌軸筒を再改良し、固定部または嵌合部の板体の一端が、直接軸向き軸筒を延長しなるものから構成される。同時に、該軸向き軸筒構成の筒体は、一側縁に“Ｖ”型を呈する凹縁を備え、他側縁に対応して“Ｖ”型を呈する凸縁を備えた板体としてなり、更に、円筒形形状をプレス製成し、且つ該“Ｖ”型の凸縁を“Ｖ”型凹縁内にぴったりと嵌合させてなる。回転軸の雄軸桿の軸桿桿体と組み合わせる時、ぴったりと該軸桿の桿体を覆うことができるようにし、両者が正、逆に対応した回転動作をする時に、充分に安定し、円滑で、剪断変形の問題が発生しないだけではなく、正、逆回転の同一な大きさの“固定値”のねじれのモーメントを保持させ、使用寿命をより延長させることができる。
【０００６】
上記本考案の目的を達成するため、回転軸の雌軸筒筒体を再改良したものであって、一側縁に斜面辺縁を設けてなり、他側縁に対応して対応斜面辺縁を設けてなる板体を設け、円筒形状をプレス製成し、且つ該斜面辺縁を該対応斜面辺縁とぴったり接合させる。回転軸の雄軸桿の軸桿桿体と組み合わせる時、ぴったりと該軸桿の桿体を覆うことができるようにし、両者が正、逆に対応した回転動作をする時に、充分に安定し、円滑で、剪断変形の問題が発生しないだけではなく、正、逆回転の同一な大きさの“固定値”のねじれのモーメントを保持させ、使用寿命をより延長させることができる。
【０００７】
前記本考案の目的を達成するため、本考案の再改良した雌軸筒は、固定部または嵌合部の一側縁が、“隙間”を有して交錯し３つの両側の異なる方向に向かってプレス製成した直列軸筒から構成される。そのうち、両側の軸筒は、該固定部または嵌合部の板体の一側をプレス成型したものから形成され、中間の軸筒は、該固定部または嵌合部の板体の他側をプレス成型したものからなる。同時に、該３つの軸筒の各板体をプレス成型し、それぞれ外縁先端を“狭く”し、付け根に当たる該固定部または嵌合部の板体と接続端を“広く”した台形形状として、各該軸筒をプレス成形して製造した、再改良雌軸筒を回転軸の雄軸桿の軸桿桿体と組み合わせる時、該軸桿桿体をよりぴったりと覆うことができ、剪断変形の作用を最小にし、該雄軸桿と正、逆対応回転動作する時の安定性、円滑性を向上し、使用寿命を延長することができる。
【考案の効果】
【０００８】
回転軸の雄軸桿の軸桿桿体と組み合わせる時、ぴったりと該軸桿の桿体を覆うことができるようにし、両者が正、逆に対応した回転動作をする時に、充分に安定し、円滑で、剪断変形の問題が発生しないだけではなく、正、逆回転の同一な大きさの“固定値”のねじれのモーメントを保持させ、使用寿命をより延長させることができる。
【考案を実施するための最良の形態】
【０００９】
図１、図２に示すように、本考案のノートブック型コンピューターまたはその類の物品用の回転軸の再改良雌軸筒２は、固定部２２または嵌合部の板体２２０の一端が、直接軸向軸筒２１を延長して構成される。該軸向軸筒２１の筒体２１０の製造成型方式は、図３，４，５に示すとおりであって、まず図３に示すように、金属板をプレス打ち抜き成型して、一側縁に“Ｖ”型凹縁２１１を、他側縁にはこれと対応して“Ｖ”型凸縁２１２を設けた板体２１０’とし、更に円筒形形状にプレス成形する。実際に折り曲げてロール動作する時、図４に示すように、まず該板体２１０’の両端、即ち“Ｖ”型凹縁２１１および“Ｖ”凸縁２１２の外半分部分を、それぞれ上向きに折り曲げて、水平な“Ｊ”型および反“Ｊ”型形状を形成する（図４中点線の状態）。その後、該板体２１０’を更に水平なＵ”型形状まで折り曲げ（図５中の点線の状態）、最後に円筒形状の筒体２１０にプレスロール成形し（図５中の実線の状態）、加工を完了する。
【００１０】
本考案の回転軸の再改良雌軸筒２の軸向軸筒２１の筒体２１０は、その板体２１０’がロール成型される時、その一側の“Ｖ”型凸縁２１２は、他側の“Ｖ”型凸縁２１１中にぴったりと嵌合し、雄軸桿１の軸桿１１桿体１１０と組み合わせて回転軸とする時（図１に示す状態）、該桿体１１０をぴったりと覆うことができ、正、逆の対応した回転動作時、その正常回転および逆回転のねじれのモーメントの大きさが一致し、十分に安定して円滑に動作する。同時に、軸心の不一致により発生する剪断変形の問題が無い。特に、正、逆回転が同一の大きさの“固定値”のねじれのモーメントを保持でき、使用回数の寿命を延長できる。
【００１１】
図６，７は、それぞれ本考案の他の好適な実施例の回転軸の再改良雌軸筒２ａの立体図および展開平面図である。該実施例の回転軸の改良雌軸筒２ａは、図６に示すように、固定部２２または嵌合部の板体２２０は、直接に軸向軸筒２１aから延長して構成される。該軸向軸筒２１ａの筒体２１０ａの製造成型法は、まず図７に示すように、金属板をプレス打ち抜き成形して一側縁を軸方向から傾斜した斜面辺縁２１１ａとし、他側縁にこれと対応する応斜面辺縁２１２ａを形成した板体２１０’ａとして、円筒形形状にプレスロール成形する。折り曲げ、ロールの動作の加工を行い、雄軸桿１の軸桿１１桿体１１０と組み合わせて回転軸とする時の特徴、効果はいずれも上記実施例と同一であるので、ここでは記載しない。
【００１２】
図９は、本考案のノートブックコンピューターまたはその類の物品用の回転軸の更に好適な実施例の再改良雌軸筒２ｃの背面図である。該再改良雌軸２ｃは、固定部２２または嵌合部の一側縁上に、“隙間”を有して交錯する３つの両側の異なる方向にロールプレス成形された直列軸筒２１ｂ、２１ｃ、２１ｄから構成される。そのうち、両側の軸筒２１ｂ、２１ｃは該固定部２２または嵌合部の板体２２０の一側をプレスロール成型したものからなり、中間の軸筒２１ｄは、該固定部２２または嵌合部の板体２２０の他側がプレスロール成形されたものからなる。
【００１３】
図１０に示すように、本考案のもう一つの好適な実施例の再改良雌軸筒２ｃがプレス成形されるとき、まずその固定部２２または嵌合部の板体２２０を３つの軸筒２１ｂ、２１ｃ、２１ｄを成型した板体２１０ｂ、２１０ｃ、２１０ｄと併せて、一側に２つの“Ｖ”型切り口２３、２３’を設けた矩形板体２００とする。次に、更に第１１図に示すように、該２つの“Ｖ”型切り口２３、２３’の両側に板体２１０ｂ、２１０ｃと中間板体２１０ｄを、それぞれ該固定部２２または嵌合部の板体２２０の左右両側に水平な“Ｊ”型および水平な反“Ｊ”型形状を折り曲げる。最後に、該水平な“Ｊ”型および水平な反“Ｊ”型形状の板体２１０ｂ、２１０ｃ、および２１０ｄを、それぞれ更に、中央に向かって折り曲げて、円筒形の同一中心軸筒２１ｂ、２１ｃおよび２１ｄとし（図１１中の点線で示す状態）、図９に示すような本考案の再改良雌軸筒２ｃを製成する。該再改良雌軸筒２ｃの３つの軸筒２１ｂ、２１ｃおよび２１ｄと雄軸桿１１の軸桿１１と組み合わせる時、回転軸を組み合わせてなり（図８参照）、ノートブックコンピューターまたはその類の物品に実装して使用する。
【００１４】
前記本考案のもう一つの好適な実施例の再改良雌軸筒２ｃの３つの軸筒２１ｂ、２１ｃおよび２１ｄの各２つの板体２１０ｂおよび２１０ｄまたは２１０ｃおよび２１０ｄの間に、それぞれ“Ｖ”型の切り口２３または２３’の隙間を設け（図１０に示すように）、円筒形形状をプレスロール成形し、３つの軸筒２１ｂ、２１ｃおよび２１ｄの中心が同一中心線上にくるように制御し易くする。特に、該３つの軸筒２１ｂ、２１ｃおよび２１ｄの各板体２１０ｂ、２１０ｃおよび２１０ｄが、それぞれ外縁終端“狭く”、固定部２２または嵌合部板体２２０との接続端を“広く”形成してなる台形形状板体としているので、更に前記プレス、ロール成形して円筒状形状にする動作に便利であり、３つの軸筒２１ｂ、２１ｃおよび２１ｄの中心を制御して同一中心線上になるよう制御できる。したがって、雄軸桿１の軸桿１１の桿体１１０と回転軸を組み合わせる時（図８に示す状態）、該軸桿１１の桿体１１０をぴったりと包むことができ、剪断変形作用を最小にし、該軸桿１１の桿体１１０を正、逆回転動作時の“受力”を同一にし、該雄軸桿１が正、逆回転動作時の安定性、円滑性を向上させ、使用寿命を延長させる。
【図面の簡単な説明】
【００１５】
【図１】本考案のノートブックコンピューターまたはその類の物品用の回転軸の立体組み合わせ図である。
【図２】本考案のノートブックコンピューターまたはその類の物品用の回転軸の立体分解図である。
【図３】本考案の再改良雌軸筒の展開平面図である。
【図４】本考案の再改良雌軸筒の展開右側面図および最初のプレス成型状態説明図である。
【図５】本考案の再改良雌軸筒の展開右側面図および2回目のプレス成型状態説明図である。
【図６】本考案の他の好適な実施例の再改良雌軸筒の立体図である。
【図７】本考案の他の好適な実施例の再改良雌軸筒の平面展開図である。
【図８】本考案の他の好適な実施例の再改良雌軸筒を１つの回転軸と組み立てた立体図である。
【図９】本考案の他の好適な実施例の再改良雌軸筒の背面立体図である。
【図１０】本考案の更に別の好適な実施例の再改良雌軸筒の平面展開図である。
【図１１】本考案の更に別の好適な実施例の再改良雌軸筒の成型第２ステップの側面図および成型後の側面説明図である。
【符号の説明】
【００１６】
１  雄軸桿
１１  軸桿
１１０  桿体
２  雌軸筒
２００  矩形板体
２１  軸向軸筒
２１０  筒体
２１１  凹縁
２１２  凸縁
２１０’  板体
２２  固定部
２２０  板体
２ａ  雌軸筒
２１ａ  軸向軸筒
２１０ａ  筒体
２１２ａ  斜面辺縁
２１０’ａ  板体
２ｃ  雌軸筒
２１ｂ、２１ｃ、２１ｄ  軸筒
２１０ｂ、２１０ｃ、２１０ｄ  板体
２３、２３’  切り口
【図１】
0003134743.tif 000003
【図２】
0003134743.tif 000004
【図３】
0003134743.tif 000005
【図４】
0003134743.tif 000006
【図５】
0003134743.tif 000007
【図６】
0003134743.tif 000008
【図７】
0003134743.tif 000009
【図８】
0003134743.tif 000010
【図９】
0003134743.tif 000011
【図１０】
0003134743.tif 000012
【図１１】
0003134743.tif 000013